(57)【要約】【課題】  従来、コントラストの少ない画像を撮影する場合、モニタ画面に表示される画像を見ながら容易に焦点合わせを行うことが難しかった。【解決手段】  結像された被写体像を電気信号に変換する撮像部と、前記撮像素子で電気信号に変換された画像信号をデジタル化してＲＡＷ画像データに変換するＲＡＷ画像データ生成部と、前記ＲＡＷ画像データ生成部が生成したＲＡＷ画像データを補正してＲＧＢ画像データを生成するカラー画像データ生成部と、表示モードを選択するための表示モード選択部と、前記表示モード選択部で選択した表示モードに応じて、前記カラー画像データ生成部が生成したＲＧＢ画像データと前記ＲＡＷ画像データ生成部が生成したＲＡＷ画像データとを切り替えて画像を表示する画像表示制御部とを設けた。【選択図】    図５
2009147875.tif 000002
【特許請求の範囲】
【請求項１】
結像された被写体像を電気信号に変換する撮像部と、
前記撮像素子で電気信号に変換された画像信号をデジタル化してＲＡＷ画像データに変換するＲＡＷ画像データ生成部と、
前記ＲＡＷ画像データ生成部が生成したＲＡＷ画像データを補正してＲＧＢ画像データを生成するカラー画像データ生成部と、
表示モードを選択するための表示モード選択部と、
前記表示モード選択部で選択した表示モードに応じて、前記カラー画像データ生成部が生成したＲＧＢ画像データと前記ＲＡＷ画像データ生成部が生成したＲＡＷ画像データとを切り替えて画像を表示する画像表示制御部と
を有することを特徴とする画像読み取り表示装置。
【請求項２】
請求項１に記載の画像読み取り表示装置において、
前記ＲＡＷ画像データ生成部が生成したＲＡＷ画像データをカラー表示または白黒表示のいずれかの選択を行う表示色選択部を更に設け、
前記画像表示制御部は、前記表示色選択部の選択内容に応じて、前記ＲＡＷ画像データ生成部が生成したＲＡＷ画像データをカラー表示または白黒表示のいずれかに変換して画像を表示する
ことを特徴とする画像読み取り表示装置。
【請求項３】
結像された被写体像を電気信号に変換する撮像部と、
前記撮像素子で電気信号に変換された画像信号をデジタル化してＲＡＷ画像データに変換するＲＡＷ画像データ生成部と、
前記ＲＡＷ画像データ生成部が生成したＲＡＷ画像データを補正してＲＧＢ画像データを生成するカラー画像データ生成部と、
表示エリアを選択するための表示エリア選択部と、
前記カラー画像データ生成部が生成したＲＧＢ画像データのうち前記表示エリア選択部で選択した表示エリアを、前記ＲＡＷ画像データ生成部が生成したＲＡＷ画像データに置き換えて表示する画像表示制御部と
を有することを特徴とする画像読み取り表示装置。
【請求項４】
請求項３に記載の画像読み取り表示装置において、
前記ＲＡＷ画像データ生成部が生成したＲＡＷ画像データをカラー表示または白黒表示のいずれかの選択を行う表示色選択部を更に設け、
前記画像表示制御部は、前記表示色選択部の選択内容に応じて、前記表示エリアに表示するＲＡＷ画像データをカラー表示または白黒表示のいずれかに変換して画像を表示する
ことを特徴とする画像読み取り表示装置。
【発明の詳細な説明】
【技術分野】
【０００１】
本発明は、画像読み取って表示する装置の画像表示技術に関する。
【背景技術】
【０００２】
画像を撮像素子で撮影して画面に表示する画像読み取り表示装置の例として、モニタ画面で被検物の観察を行う顕微鏡や光学ファインダーを持たない電子カメラが知られている。これらの光学機器では、一旦、撮像素子で撮影された画像をモニタに表示して、モニタ画面を見ながら焦点合わせを行わなければならない。
【０００３】
ところが、コントラストの少ない被写体の場合、焦点が合っているか否かが分かりにくいという問題がある。そこで、モニタ画面に表示されている画像を見ながら焦点合わせを行い易くするために、撮影された画像の信号レベルのプロファイル表示やコントラスト値をモニタ画面に表示して、使用者が数値的を見てコントラストが高くなったか否かを判断できるようにしたものが考えられている（例えば、特許文献１参照）。
【特許文献１】特開平１０−２２１５９３号公報
【発明の開示】
【発明が解決しようとする課題】
【０００４】
ところが、モニタ画面にプロファイル表示やコントラスト値を表示する場合、モニタ画面に表示されている画像を見て直感的な焦点合わせを行うことができない。また、主要被写体の位置を指定して焦点合わせをする操作や、焦点合わせの優先設定をする操作などを行いにくく、実使用に不便をきたす場合が多い。
【０００５】
上記課題に鑑み、本発明の目的は、コントラストの少ない画像を撮影する場合でも、複雑な操作を行う必要がなく、モニタ画面に表示される画像を見ながら容易に焦点合わせを行うことができる画像読み取り表示装置を提供することである。
【課題を解決するための手段】
【０００６】
本発明に係る画像読み取り表示装置は、結像された被写体像を電気信号に変換する撮像部と、前記撮像素子で電気信号に変換された画像信号をデジタル化してＲＡＷ画像データに変換するＲＡＷ画像データ生成部と、前記ＲＡＷ画像データ生成部が生成したＲＡＷ画像データを補正してＲＧＢ画像データを生成するカラー画像データ生成部と、表示モードを選択するための表示モード選択部と、前記表示モード選択部で選択した表示モードに応じて、前記カラー画像データ生成部が生成したＲＧＢ画像データと前記ＲＡＷ画像データ生成部が生成したＲＡＷ画像データとを切り替えて画像を表示する画像表示制御部とを有することを特徴とする。
【０００７】
さらに、前記ＲＡＷ画像データ生成部が生成したＲＡＷ画像データをカラー表示または白黒表示のいずれかの選択を行う表示色選択部を更に設け、前記画像表示制御部は、前記表示色選択部の選択内容に応じて、前記ＲＡＷ画像データ生成部が生成したＲＡＷ画像データをカラー表示または白黒表示のいずれかに変換して画像を表示することを特徴とする。
【０００８】
また、結像された被写体像を電気信号に変換する撮像部と、前記撮像素子で電気信号に変換された画像信号をデジタル化してＲＡＷ画像データに変換するＲＡＷ画像データ生成部と、前記ＲＡＷ画像データ生成部が生成したＲＡＷ画像データを補正してＲＧＢ画像データを生成するカラー画像データ生成部と、表示エリアを選択するための表示エリア選択部と、前記カラー画像データ生成部が生成したＲＧＢ画像データのうち前記表示エリア選択部で選択した表示エリアを、前記ＲＡＷ画像データ生成部が生成したＲＡＷ画像データに置き換えて表示する画像表示制御部とを有することを特徴とする。
【０００９】
さらに、前記ＲＡＷ画像データ生成部が生成したＲＡＷ画像データをカラー表示または白黒表示のいずれかの選択を行う表示色選択部を更に設け、前記画像表示制御部は、前記表示色選択部の選択内容に応じて、前記表示エリアに表示するＲＡＷ画像データをカラー表示または白黒表示のいずれかに変換して画像を表示することを特徴とする。
【発明の効果】
【００１０】
本発明によれば、コントラストの少ない画像を撮影する場合でも、ＲＡＷ画像データを利用することにより高いコントラストの画像が得られるので、複雑な操作を行う必要がなく、モニタ画面に表示される画像を見ながら容易に焦点合わせを行うことができる。
【発明を実施するための最良の形態】
【００１１】
（第１の実施形態）
第１の実施形態に係る画像読み取り表示装置１０１について、図面を用いて詳しく説明する。尚、本実施形態では、画像読み取り表示装置１０１を顕微鏡１０２と組み合わせた顕微鏡システムの例を示す。
【００１２】
図１において、顕微鏡１０２は、鏡脚１０３と、ステージ１０４と、フォーカスハンドル１０５と、対物レンズ１０６と、鏡体１０７とで構成される。
【００１３】
一方、顕微鏡１０２に接続する画像読み取り表示装置１０１は、撮像部１０８と、制御装置１１０と、表示モニタ１１１と、マウス１１２と、キーーボード１１３とで構成される。撮像部１０８は、Ｃマウント１１４で鏡体１０７に装着され、ステージ１０４上の被検物１５１を撮影し、撮影した画像をケーブル１０９を介して制御装置１１０に出力する。制御装置１１０は操作部としてマウス１１２やキーボード１１３を有し、観察者はマウス１１２やキーボード１１３を用いて、表示モニタ１１１に表示される観察画像の表示モードを切り替えたり、表示エリア或いは表示色などの選択を行う。尚、表示モード，表示エリア，表示色については後で詳しく説明する。また、観察者は、表示モニタ１１１に表示される観察画像を見ながら、顕微鏡１０２のフォーカスハンドル１０５を回してステージ１０４を上下させ、被検物１５１にフォーカスを合わせる。
【００１４】
次に、画像読み取り表示装置１０１の構成について詳しく説明する。図２は、図１で説明した撮像部１０８と制御装置１１０の構成例を示すブロック図である。
【００１５】
図２において、例えば、図１の撮像部１０８は、ＣＣＤ撮像素子２０１と、ＡＦＥ（アナログフロントエンド）２０２とで構成される。図１の制御装置１１０は、画像処理部２０３と、バッファ２０４と、ＴＧ（タイミングジェネレータ）２０５と、システムバス２０６と、ＣＰＵ２０７と、ＲＯＭ２０８と、ＲＡＭ２０９と、Ｉ／Ｏ（入出力インターフェース）２１０とで構成される。尚、ＴＧ２０５は、撮像部１０８に含めても構わない。また、図２に示した画像読み取り表示装置１０１の構成は一例であり、例えば、顕微鏡１０２の鏡体１０７に装着可能なＣマウント１１４に対応したカメラと、そのカメラで撮影した画像を入力するための画像入力インターフェースを有するパソコンとで構成しても構わない。
【００１６】
制御装置１１０は、ＲＯＭ２０８に予め記憶されたプログラムに従って動作するＣＰＵ２０７を中心に構成される。使用者はマウス１１２やキーボード１１３を用いて操作し、操作内容はＩ／Ｏ２１０およびシステムバス２０６を介してＣＰＵ２０７に入力され、ＣＰＵ２０７は操作内容に応じて制御装置１１０の各部を制御する。また、ＲＡＭ２０９は、ＣＰＵ２０７によって用いられ、動作のための設定値などを記憶したり、バッファ２０４に記憶された画像データや画像処理部２０３から読み出した画像データなどを記憶する。
【００１７】
図２において、顕微鏡１０２で観察する被検物１５１の画像は、ＣＣＤ撮像素子２０１で電気信号に変換されてＡＦＥ２０２に出力される。この時、ＴＧ２０５からＣＣＤ撮像素子２０１に画像信号を出力するタイミングを与える。
【００１８】
ＡＦＥ２０２は、ＣＣＤ撮像素子２０１から読み出された画像信号に、相関二重サンプリング回路（ＣＤＳ回路）を通してノイズ除去処理を行ったり、適正レベルに増幅を行った後、Ａ／Ｄ変換器によってデジタルの画像データに変換して画像処理部２０３に出力する。尚、これらの処理もＴＧ２０５から与えられるタイミング信号に従って行われる。
【００１９】
画像処理部２０３は、ＡＦＥ２０２から入力した画像データに対して、色変換処理などを行う。ここで、ＣＣＤ撮像素子２０１で撮影されてＡＦＥ２０２から出力される画像データはＲＡＷ画像データと呼ばれ、ＣＣＤ撮像素子２０１の受光面にマトリクス状に配置された画素毎に読み出された生の（未処理の）画像データである。尚、画像処理部２０３がＣＣＤ撮像素子２０１からＲＡＷ画像データを入力するタイミングはＴＧ２０５から与えられる。
【００２０】
ここで、ＲＡＷ画像データについて説明する。ＲＡＷ画像データとは、ＣＣＤ撮像素子２０１が捉えた生の情報そのものである。ＲＡＷ画像データの最大の特徴は、一般的に知られているＪＰＥＧ規格などのカラー画像のＲＧＢ各色の諧調は８ｂｉｔ（２５６階調）に制限されているのに対し、ＲＡＷ画像データの場合は、ＣＣＤ撮像素子２０１のハード的な諧調に応じて決まり、ＣＣＤ撮像素子２０１が１２ｂｉｔ入力に対応している場合は、ＲＧＢ各色の諧調が１２ｂｉｔ（４，０９６諧調）のＲＡＷ画像データが得られるので、ビット落ちなどが少ない高精度な色補正を行うことができる。
【００２１】
次にＲＡＷ画像データの画素配置について説明する。図３（ａ）はＣＣＤ撮像素子２０１の画素配置を示した図で、分かり易いように、列Ｃ１〜列Ｃ４，行Ｒ１〜行Ｒ４の４×４画素を描いてある。図３（ａ）において、ベイヤー配列と呼ばれる方法でＲＧＢ各色のカラーフィルタが所定の規則に従って各画素に配置されている。例えば、行Ｒ１と行Ｒ３の奇数行では、列Ｃ１はＲフィルタ、列Ｃ２はＧフィルタ、列Ｃ３はＲフィルタ、列Ｃ４はＧフィルタのようにＲとＧのカラーフィルタが交互に配置されている。同様に、行Ｒ２と行Ｒ４の偶数行では、列Ｃ１はＧフィルタ、列Ｃ２はＢフィルタ、列Ｃ３はＧフィルタ、列Ｃ４はＢフィルタのようにＧとＢのカラーフィルタが交互に配置されている。
【００２２】
一方、図３（ｂ）は、表示モニタ１１１に表示する際の画素配置を示した図である。尚、実際には、図３（ａ）のＣＣＤ撮像素子２０１の画素配置と同様に、表示モニタ１１１にもＲＧＢ各色のカラーフィルタ毎に画素が配置されているが、図３（ｂ）ではＲＧＢで表現できる１単位を表示モニタ１１１の１画素として描いてある。特に、図３（ｂ）では、分かり易いように、表示モニタ１１１の画素配置をＣＣＤ撮像素子２０１の画素配置と同じ、列Ｃ１〜列Ｃ４，行Ｒ１〜行Ｒ４の４×４画素として描いてある。以降、列Ｃ１〜列Ｃ４，行Ｒ１〜行Ｒ４の各画素を（行番号，列番号）で示し、以降、ＣＣＤ撮像素子２０１の画素を撮像画素、表示モニタ１１１の画素を表示画素と称する。
【００２３】
図３（ｂ）において、行Ｒ２で列Ｃ２の位置にある表示画素（Ｒ２，Ｃ２）は、色の３原色であるＲＧＢの各色データが含まれた画素で様々な色を表示できる画素であるが、表示画素（Ｒ２，Ｃ２）に対応するＣＣＤ撮像素子２０１の撮像画素（Ｒ２，Ｃ２）は、Ｂのみである。そこで、画像処理部２０３は、ＲＡＷ／ＲＧＢ変換部２１１を有し、ＣＣＤ撮像素子２０１から読み出したＲＡＷ画像データをＲＧＢ画像データに変換する処理を行う。
【００２４】
ＲＡＷ画像データをＲＧＢ画像データに変換する処理は、例えば、表示画素（Ｒ２，Ｃ２）に対応するＣＣＤ撮像素子２０１の撮像画素（Ｒ２，Ｃ２）周辺の８つの撮像画素（Ｒ１，Ｃ１），（Ｒ１，Ｃ２），（Ｒ１，Ｃ３），（Ｒ２，Ｃ１），（Ｒ２，Ｃ３），（Ｒ３，Ｃ１），（Ｒ３，Ｃ２），（Ｒ３，Ｃ３）から、ＲデータとＧデータとを求めて、表示画素（Ｒ２，Ｃ２）のＲＧＢデータとする変換処理が行われる。変換処理の一例を示すと、Ｒデータは、Ｒフィルタが配置された撮像画素（Ｒ１，Ｃ１），（Ｒ１，Ｃ３），（Ｒ３，Ｃ１），（Ｒ３，Ｃ３）の４つの画素のデータを平均して表示画素（Ｒ２，Ｃ２）のＲデータとし、同様に、Ｇデータは、Ｒフィルタが配置された撮像画素（Ｒ１，Ｃ２），（Ｒ２，Ｃ１），（Ｒ２，Ｃ３），（Ｒ３，Ｃ２）の４つの画素のデータを平均して表示画素（Ｒ２，Ｃ２）のＧデータとする。尚、Ｂデータは撮像画素（Ｒ２，Ｃ２）の値を用いる。このような処理を繰り返すことによって、ＣＣＤ撮像素子２０１のＲＡＷ画素データから、表示モニタ１１１に表示するＲＧＢ画素データに変換することができる。尚、ＲＡＷ画像データをＲＧＢ画像データに変換する際に、上記のように周辺画素の平均ではなく、周辺画素の位置に応じて重み付けを行っても構わない。或いは、計算に用いる周辺画素の数や位置を変えても構わない。
【００２５】
このように、図２に示した画像処理部２０３のＲＡＷ／ＲＧＢ変換部２１１は、ＣＣＤ撮像素子２０１から読み出したＲＡＷ画像データをＲＧＢ画像データに変換して、バッファ２０４に一時的に記憶する。バッファ２０４に一時的に記憶されたＲＧＢ画像データは、表示モニタ１１１に表示される。
【００２６】
ここで、フォーカス合わせとコントラストについて図４を用いて説明する。図４において、横軸はＣＣＤ撮像素子２０１の行Ｒ１の行方向の画素の列を示し、縦軸は各画素の信号レベルを示している。Ｒ画素信号４０１のレベル変化とＧ画素信号４０２のレベル変化はほぼ同じなので色変化が少なく、且つ右方向になだらかに信号レベルが大きくなるようなコントラストが低い画像である。このようなコントラストが低い画像の場合、顕微鏡１０２のフォーカスハンドル１０５を動かしてステージ１０４の被検物１５１に焦点を合わせようとしても、ＲＧＢ画像データに変換されて表示モニタ１１１に表示されている画像のコントラスト変化が分かり難く、焦点合わせを行いにくい。ところが、ＲＡＷ画像データをそのまま表示すると、図４の信号４０３に示すように、画素（Ｒ１，Ｃ１），（Ｒ１，Ｃ３），（Ｒ１，Ｃ５）のＲ画素の信号レベルと、画素（Ｒ１，Ｃ２），（Ｒ１，Ｃ４）のＢ画素の信号レベルとが異なるため、コントラストの高い画像として表示モニタ１１１に表示することができ、使用者は焦点を合わせ易くなる。
【００２７】
本実施形態に係る画像読み取り表示装置１０１では、上記に述べた原理に従って、焦点を合わせる際に、ＲＡＷ画像データを表示モニタ１１１に表示できるようにしている。
【００２８】
次に、本実施形態に係る画像読み取り表示装置１０１で焦点を合わせる時の処理について図５のフローチャートを用いて説明する。尚、これらの処理は、ＣＰＵ２０７のプログラムによって制御され、画像データの作成などはＣＰＵ２０７の指令に応じて画像処理部２０３が行う。また、表示モニタ１１１の画面には、被検物１５１の画像以外に、各種の設定値や選択ボタンが表示され、使用者は選択ボタンをマウス１１２でクリックしたり、キーボード１１３から必要な設定値を入力して、画像読み取り表示装置１０１を操作する。尚、本実施形態で用いる主な設定値は、表示モード（ＲＧＢ画像データ表示／ＲＡＷ画像データ表示）と、表示色（カラー／白黒の選択）と、表示エリア（全画面／部分画面）である。これらの設定値の詳細については、以下のフローチャートの説明の中で述べる。
【００２９】
（ステップＳ２０１）焦点を合わせる時の処理を開始する。表示モニタ１１１の画面には、予め設定された各種の設定値や選択ボタンが表示されている。尚、本実施形態では、各設定値の初期値は、表示モードがＲＧＢ画像データ表示、表示色が白黒、表示エリアが全画面となっている。
【００３０】
（ステップＳ２０２）撮像部１０８のＣＣＤ撮像素子２０１によって被検物１５１の画像を撮像する。
【００３１】
（ステップＳ２０３）ＣＣＤ撮像素子２０１に撮像された画像信号は、ＡＦＥ２０２を介してＲＡＷ画像データとして画像処理部２０３に入力される。
【００３２】
（ステップＳ２０４）画像処理部２０３は、先に説明したように、ＲＡＷ画像データをＲＧＢ画像データに変換し、バッファ２０４に一時的に記憶する。
【００３３】
（ステップＳ２０５）ＣＰＵ２０７は、表示モードが切り替えられたか否かを判別する。表示モードが切り替えられていない場合、つまり初期値のＲＧＢ画像データ表示の場合はステップＳ２０６に進み、表示モードがＲＡＷ画像データ表示に切り替えられた場合はステップＳ２０７に進む。
【００３４】
（ステップＳ２０６）バッファ２０４に一時的に記憶されたＲＧＢ画像データを表示モニタ１１１に表示する。処理後、ステップＳ２０２に戻る。
【００３５】
（ステップＳ２０７）ＲＡＷ画像データ表示する際の表示色の設定を判別する。表示色がカラーの場合はステップＳ２０８に進み、表示色が白黒の場合はステップＳ２０９に進む。
【００３６】
（ステップＳ２０８）画像処理部２０３のＲＡＷ／ＲＧＢ変換部２１１は、表示色がカラーの場合、ＲＡＷ画像データをＲＧＢ画像データに変換して、表示色処理後の画像としてバッファ２０４に記憶する際に、ＲＡＷ画像データの撮影画素がＲであった場合は、これを表示モニタ１１１の表示画素のＲデータとして用い、Ｒデータ以外のＧデータおよびＢデータは０とする処理を行う。同様に、ＲＡＷ画像データの撮影画素がＧであった場合は、これを表示モニタ１１１の表示画素のＧデータとして用い、Ｇデータ以外のＲデータおよびＢデータは０とし、ＲＡＷ画像データの撮影画素がＢであった場合は、これを表示モニタ１１１の表示画素のＢデータとして用い、Ｂデータ以外のＲデータおよびＧデータは０とする処理を行う。
【００３７】
この様子について、図６を用いて説明する。図６（ａ）は、図３（ａ）と同じように、ＣＣＤ撮像素子２０１の撮像画素の配置と各画素の色を示しており、図６（ｂ）は、図３（ｂ）と同じように、表示モニタ１１１の表示画素の配置を示している。
【００３８】
同図において、例えば、ＣＣＤ撮像素子２０１の撮像画素（Ｒ１，Ｃ１），（Ｒ１，Ｃ３），（Ｒ３，Ｃ１），（Ｒ３，Ｃ３）はＲデータなので、これに対応する表示モニタ１１１の表示画素（Ｒ１，Ｃ１），（Ｒ１，Ｃ３），（Ｒ３，Ｃ１），（Ｒ３，Ｃ３）のＲデータとして用い、ＧデータおよびＢデータは０を代入する。同様に、撮像画素（Ｒ１，Ｃ２），（Ｒ１，Ｃ４），（Ｒ２，Ｃ１），（Ｒ２，Ｃ３），（Ｒ３，Ｃ２），（Ｒ３，Ｃ４），（Ｒ４，Ｃ１），（Ｒ４，Ｃ３）はＧデータなので、これに対応する表示モニタ１１１の表示画素（Ｒ１，Ｃ２），（Ｒ１，Ｃ４），（Ｒ２，Ｃ１），（Ｒ２，Ｃ３），（Ｒ３，Ｃ２），（Ｒ３，Ｃ４），（Ｒ４，Ｃ１），（Ｒ４，Ｃ３）のＧデータとして用い、ＲデータおよびＢデータは０を代入する。同様に、撮像画素（Ｒ２，Ｃ２），（Ｒ２，Ｃ４），（Ｒ４，Ｃ２），（Ｒ４，Ｃ４）はＢデータなので、これに対応する表示モニタ１１１の表示画素（Ｒ２，Ｃ２），（Ｒ２，Ｃ４），（Ｒ４，Ｃ２），（Ｒ４，Ｃ４）のＢデータとして用い、ＧデータおよびＲデータは０を代入する。
【００３９】
このようにして、作成した表示色処理後のＲＡＷ画像データはバッファ２０４に記憶され、ステップＳ２１０に進む。
【００４０】
（ステップＳ２０９）画像処理部２０３のＲＡＷ／ＲＧＢ変換部２１１は、表示色が白黒の場合、ＲＡＷ画像データをＲＧＢ画像データに変換して、表示色処理後の画像としてバッファ２０４に記憶する際に、ＲＡＷ画像データの撮影画素がＲであった場合は、これを表示モニタ１１１の表示画素のＲデータとして用い、Ｒデータ以外のＧデータおよびＢデータにもこのＲデータを用いる処理を行う。同様に、ＲＡＷ画像データの撮影画素がＧであった場合は、これを表示モニタ１１１の表示画素のＧデータとして用い、ＲデータおよびＢデータにもこのＧデータを代入する。同様に、ＲＡＷ画像データの撮影画素がＢであった場合は、これを表示モニタ１１１の表示画素のＢデータとして用い、ＲデータおよびＧデータにもこのＢデータを代入する。
【００４１】
この様子について、図７を用いて説明する。図７（ａ）は、図６（ａ）と同じように、ＣＣＤ撮像素子２０１の撮像画素の配置と各画素の色を示しており、図７（ｂ）は、図６（ｂ）と同じように、表示モニタ１１１の表示画素の配置を示している。
【００４２】
同図において、例えば、ＣＣＤ撮像素子２０１の撮像画素（Ｒ１，Ｃ１），（Ｒ１，Ｃ３），（Ｒ３，Ｃ１），（Ｒ３，Ｃ３）はＲデータなので、これに対応する表示モニタ１１１の表示画素（Ｒ１，Ｃ１），（Ｒ１，Ｃ３），（Ｒ３，Ｃ１），（Ｒ３，Ｃ３）のＲデータとして用い、これらの画素のＧデータおよびＢデータにもこのＲデータを代入する。同様に、撮像画素（Ｒ１，Ｃ２），（Ｒ１，Ｃ４），（Ｒ２，Ｃ１），（Ｒ２，Ｃ３），（Ｒ３，Ｃ２），（Ｒ３，Ｃ４），（Ｒ４，Ｃ１），（Ｒ４，Ｃ３）はＧデータなので、これに対応する表示モニタ１１１の表示画素（Ｒ１，Ｃ２），（Ｒ１，Ｃ４），（Ｒ２，Ｃ１），（Ｒ２，Ｃ３），（Ｒ３，Ｃ２），（Ｒ３，Ｃ４），（Ｒ４，Ｃ１），（Ｒ４，Ｃ３）のＧデータとして用い、これらの画素のＲデータおよびＢデータにもこのＧデータを代入する。同様に、撮像画素（Ｒ２，Ｃ２），（Ｒ２，Ｃ４），（Ｒ４，Ｃ２），（Ｒ４，Ｃ４）はＢデータなので、これに対応する表示モニタ１１１の表示画素（Ｒ２，Ｃ２），（Ｒ２，Ｃ４），（Ｒ４，Ｃ２），（Ｒ４，Ｃ４）のＢデータとして用い、これらの画素のＧデータおよびＲデータにもこのＢデータを代入する。
【００４３】
このようにして、作成した表示色処理後のＲＡＷ画像データはバッファ２０４に記憶後、ステップＳ２１０に進む。
【００４４】
（ステップＳ２１０）ステップＳ２０８またはステップＳ２０９で作成された表示色処理後のＲＡＷ画像データを表示する表示エリアを判別する。つまり、表示モニタ２１１の画面全体にステップＳ２０８またはステップＳ２０９で作成された表示色処理後のＲＡＷ画像データを表示する全画面表示と、表示モニタ２１１の画面の一部にステップＳ２０８またはステップＳ２０９で作成された表示色処理後のＲＡＷ画像データを表示し、残りの部分はステップＳ２０５で作成したＲＧＢ画像データを表示する部分画面表示との判別を行う。全画面表示が選択されている場合はステップＳ２１１に進み、部分画面表示が選択されている場合はステップＳ２１２に進む。
【００４５】
（ステップＳ２１１）全画面表示なので、ステップＳ２０８またはステップＳ２０９で作成されバッファ２０４に記憶された表示色処理後のＲＡＷ画像データを表示モニタ１１１に表示する。処理後、ステップＳ２０２に戻る。
【００４６】
（ステップＳ２１２）部分画面表示なので、使用者が表示モニタ１１１の画面上で選択したエリアのみステップＳ２０８またはステップＳ２０９で作成されバッファ２０４に記憶された表示色処理後のＲＡＷ画像データを表示し、それ以外の部分はステップＳ２０５で作成されバッファ２０４に記憶されたＲＧＢ画像データを表示する。この場合の表示モニタ１１１の画面の様子を図８（ａ）に示す。図８（ａ）に置いて、表示モニタ１１１の画面６０１の中で選択エリア６０２で示した部分のみステップＳ２０８またはステップＳ２０９で作成された表示色処理後のＲＡＷ画像データを表示し、それ以外の部分はステップＳ２０５で作成したＲＧＢ画像データを表示する。処理後、ステップＳ２０２に戻る。
【００４７】
尚、表示モード，表示色，表示エリアなどの各設定値は、顕微鏡１０２で被検物１５１を観察中はいつでもマウス１１２やキーボード１１３を用いて、変更することができ、図５のフローチャートに従って、変更に応じた画像が表示モニタ１１１に表示される。
【００４８】
このように、本実施形態に係る画像読み取り表示装置１０１は、コントラストが低い被検物１５１の画像であっても、ＲＡＷ画像データで表示モニタ１１１に表示することによって、コントラストの高い画像を見ることができ、焦点合わせを行い易くなる。特に、焦点を合わせたい領域のみをＲＡＷ画像データで表示し、それ以外の部分を通常のＲＧＢ画像データで表示することにより、被検物１５１の全体像を確認しながら違和感なく焦点合わせを行うことができる。
【００４９】
尚、本実施形態では、図８（ａ）に示すように、常に被検物１５１の画像を表示モニタ１１１の画面６０１全体に表示するようにしたが、図８（ｂ）に示すように、表示モニタ１１１の画面６０３全体には、焦点合わせを行いたい選択エリア６０２のみをＲＡＷ画像データで表示し、被検物１５１の全体像は画面６０３に埋め込んだ子画面６０４に表示するようにしても構わない。この時、子画面６０４内の選択エリア６０２の部分はＲＧＢ画像データのままでよい。このような表示方法により、被検物１５１の全体像を実際の色合いで確認しながら、焦点合わせを行いたい選択エリア６０２の被検物Ａは画面６０３全体に大きく表示されるので、より正確に焦点合わせを行うことができる。尚、画面６０３と子画面６０４とは、マウス１１２やキーボード１１３によって、ワンタッチで入れ替わるようにしても構わない。
【００５０】
（第２の実施形態）
次に、第２の実施形態に係る画像読み取り表示装置について説明する。尚、本実施形態では、第１の実施形態で説明した画像読み取り表示装置１０１の機能を有する電子カメラ７０１の例を示す。
【００５１】
図９において、電子カメラ７０１は、第１の実施形態の撮像部１０８と、制御装置１１０とに加え、手動でフォーカスレンズを移動させて焦点を合わせる光学レンズ系７０２と、第１の実施形態の表示モニタ１１１に代えて小型液晶モニタ７０３と、第１の実施形態のマウス１１２およびキーボード１１３に代えて操作ボタン７０４とを有する。尚、第１の実施形態の図２と同符号のものは同じ機能を有するので、重複する説明は省略する。
【００５２】
電子カメラ７０１は、被写体からの光を光学レンズ系７０２でＣＣＤ撮像素子２０１に結像し、ＣＣＤ撮像素子２０１で電気信号に変換される。ＣＣＤ撮像素子２０１で電気信号に変換されてＡＦＥ２０２に出力された後の処理は第１の実施形態と全く同じで、表示モニタ１１１の代わりに小型液晶モニタ７０３に表示される。
【００５３】
また、第１の実施形態と異なり、使用者はマウス１１２やキーボード１１３の代わりに操作ボタン７０４で操作する。例えば、図１０に示したように、電子カメラ７０１の操作ボタン７０４は、カーソルボタン７５１と、表示モード選択ボタン７５２と、表示色選択ボタン７５３と、表示エリア選択ボタン７５４とで構成される。
【００５４】
今、小型液晶モニタ７０３の画面には、ＲＧＢ画像データで被写体画像が表示されており、使用者は被写体画像の主要被写体部分に焦点を合わせるべく、光学レンズ系７０２（図１０では小型液晶モニタ７０３の反対面にある）のフォーカスレンズを移動させる。
【００５５】
この状態で、使用者が表示モード選択ボタン７５２でＲＡＷ画像データ表示モードを選択すると、小型液晶モニタ７０３に表示されていたＲＧＢ画像データの被写体画像をＲＡＷ画像データに切り替えることができ、表示モード選択ボタン７５２を押す毎にＲＧＢ画像データとＲＡＷ画像データとが交互に切り替わる。尚、この時、小型液晶モニタ７０３に表示されるＲＡＷ画像データは、表示色選択ボタン７５３によって、第１の実施形態で説明したカラー／白黒の選択を行うことができ、表示色選択ボタン７５３を押す毎にカラーと白黒とが交互に切り替わる。
【００５６】
さらに、ＲＡＷ画像データで表示している状態で、使用者は表示エリア選択ボタン７５４でＲＡＷ画像データで表示する領域を全画面にするか部分画面にするかを選択することができる。使用者は表示エリア選択ボタン７５４で部分画面表示を選択すると、小型液晶モニタ７０３の画面には表示エリア枠７５０が現れる。小型液晶モニタ７０３の画面に表示エリア枠７５０が表示されている部分がＲＡＷ画像データで表示され、それ以外の部分はＲＧＢ画像データで表示される。また、表示エリア枠７５０はカーソルボタン７５１を操作して、表示エリア枠７５０を上下左右に移動したり、上下左右にエリアを拡大縮小することができる。尚、移動と拡大縮小の切り替えは、カーソルボタン７５１の中央の丸いボタンで行うことができる。
【００５７】
このように、本実施形態に係る画像読み取り表示装置１０１の機能を有する電子カメラ７０１は、コントラストが低い被写体の画像であっても、ＲＡＷ画像データで小型液晶モニタ７０３に表示することによって、コントラストの高い画像を見ることができ、焦点合わせを行い易くなる。特に、焦点を合わせたい領域のみをＲＡＷ画像データで表示し、それ以外の部分を通常のＲＧＢ画像データで表示することにより、被写体の全体像を確認しながら違和感なく焦点合わせを行うことができる。
【００５８】
尚、本実施形態においても、第１の実施形態の図８（ｂ）に示すように、画面６０３に子画面６０４を埋め込んで表示するようにしても構わない。
【図面の簡単な説明】
【００５９】
【図１】第１の実施形態に係る画像読み取り表示装置１０１を用いた顕微鏡システムの構成図である。
【図２】第１の実施形態に係る画像読み取り表示装置１０１のブロック図である。
【図３】ＲＡＷ画像データとＲＧＢ画像データとの関係を示す説明図である。
【図４】発明の原理を示す説明図である。
【図５】第１の実施形態に係る画像読み取り表示装置１０１のフローチャートである。
【図６】表示色がカラーの場合のＲＧＢ画像データへの変換方法を示す説明図である。
【図７】表示色が白黒の場合のＲＧＢ画像データへの変換方法を示す説明図である。
【図８】表示モニタ１１１への表示例を示す説明図である。
【図９】第２の実施形態に係る画像読み取り表示装置１０１を用いた電子カメラ７０１のブロック図である。
【図１０】第２の実施形態に係る電子カメラ７０１での表示例を示す説明図である。
【符号の説明】
【００６０】
１０１・・・画像読み取り表示装置      １０２・・・顕微鏡
１０５・・・フォーカスハンドル        １０８・・・撮像部
１１０・・・制御装置                  １１１・・・表示モニタ
１５１・・・被検物                    ２０１・・・ＣＣＤ撮像素子
２０３・・・画像処理部                ２０７・・・ＣＰＵ
７０１・・・電子カメラ                ７０２・・・光学レンズ系
７０３・・・小型液晶モニタ            ７０４・・・操作ボタン
【図１】
2009147875.tif 000003
【図２】
2009147875.tif 000004
【図３】
2009147875.tif 000005
【図４】
2009147875.tif 000006
【図５】
2009147875.tif 000007
【図６】
2009147875.tif 000008
【図７】
2009147875.tif 000009
【図８】
2009147875.tif 000010
【図９】
2009147875.tif 000011
【図１０】
2009147875.tif 000012